(57)【要約】【課題】  板状体の周縁部に対して粘着テープを正確に位置合わせすることが可能であり、段差のある板状体に対しても粘着テープを均一に貼り付けることができるテープ貼付ステージ及びテープ貼付装置を提供する。【解決手段】  板状体の周縁部に粘着テープを貼り付けるためのテープ貼付ステージであって、粘着テープの粘着面を上向きにして保持する略矩形状のテープ保持台と、テープ保持台の両端部に設けられた位置決めピンと、位置決めピンの内側に設けられた吸着孔とを備え、テープ保持台は、透明部材を主体として構成され、板状体に押圧される長辺部が透明弾性体であることを特徴とする。【選択図】  図１
2015159200.tif 000002
【特許請求の範囲】
【請求項１】
板状体の周縁部に粘着テープを貼り付けるためのテープ貼付ステージであって、
前記粘着テープの粘着面を上向きにして保持する略矩形状のテープ保持台と、
前記テープ保持台の両端部に設けられた位置決めピンと、
前記位置決めピンの内側に設けられた吸着孔とを備え、
前記テープ保持台は、透明部材を主体として構成され、前記板状体に押圧される長辺部が透明弾性体であることを特徴とするテープ貼付ステージ。
【請求項２】
請求項１記載の粘着テープを保持するテープ貼付ステージと、前記粘着テープが貼り付けられる板状体を保持する板状体ステージを備えたテープ貼付装置であって、
前記テープ貼付ステージまたは前記板状体ステージの少なくとも一方を移動し、前記粘着テープと前記板状体の相対位置を調整するステージ移動機構とを備えることを特徴とするテープ貼付装置。
【請求項３】
前記テープ貼付ステージの下方から前記粘着テープと前記板状体を撮像する撮像手段を設けたことを特徴とする請求項２に記載のテープ貼付装置。
【請求項４】
前記ステージ移動機構は、スライド台を一軸上に移動させる一軸移動手段を一対で備え、
前記スライド台に弾性パッキンを介して前記テープ貼付ステージまたは前記板状体ステージが結合されることを特徴とする請求項２に記載のテープ貼付装置。
【請求項５】
前記テープ貼付ステージを上下反転させるステージ反転機構を備えることを特徴とする請求項２に記載のテープ貼付装置。
【発明の詳細な説明】
【技術分野】
【０００１】
本発明は、板状体の周縁部に粘着テープを貼り付けるためのテープ貼付ステージ、及びこれを備えたテープ貼付装置に関する。
【背景技術】
【０００２】
テレビやパーソナルコンピュータ、携帯電話、スマートフォン等の表示装置として広く用いられている液晶モジュールは、それぞれ矩形かつ平板状の部材である液晶パネル、光学シート、バックライト等を重ね合わせて一体化することにより構成されている。これらを一体化するには、周縁部（四辺）に金属製のフレーム部材を設けてこれらを挟み込む手法のほか、周縁部を粘着テープによって貼り合わせる手法が採用されている。
【０００３】
後者の手法に用いられるテープは、「ベゼルレステープ」や「遮光テープ」などと称されている。「ベゼルレス」と称される由縁は、このテープの利用によって上記フレーム部材（＝ベゼル）を省略できるためである。また、「遮光」と称される由縁は、周縁部からの光漏れを防ぐ機能も兼ね備えているからである。以下では、上記テープを「ベゼルレステープ」と称することとする。
【０００４】
液晶モジュールの実装ラインにおいて、ベゼルレステープの貼付工程は、現状、作業者の手作業により行われることが多い。しかし、ベゼルレステープは可撓性部材であるため手作業ではシワや浮きが発生し易く、貼付工程の作業性の改善が求められている。なお、ベゼルレステープとは異なるが、テープを貼り付けるための技術としては様々なものが知られているので、以下にその一例を紹介しておく。
【０００５】
特許文献１に開示されているテープ貼付装置は、図９に示すように、キャリアテープ２０１と粘着テープ片２０２からなる原反テープ２００を、ナイフエッジ２０５において折り返し走行させることで、粘着テープ片２０２をキャリアテープ２０１から剥離し、剥離した粘着テープ片２０２を剥離速度と同調して相対走行される基板２０４に貼付けローラ２０６で貼付けるものである。しかし、このような貼付けローラ２０６を用いるテープ貼付装置では、貼付けローラ２０６が粘着テープ片２０２の貼付け位置を覆い隠し、粘着テープ片２０２と基板２０４の貼付位置を確認できないため、粘着テープ片２０２を正確に位置合わせすることができない。
【０００６】
一方、特許文献２に開示されている転写装置は、図１０に示すように、転写体を坦持する透明坦持体３０１と被着体である基板３０２とを、それぞれのアライメントマーク３０３を対向させて保持する保持ステージ３０４を備え、保持ステージ３０４のアライメントマーク３０３に対応する部位に石英窓３０５を設けている。このため、石英窓３０５を透過させてアライメントマーク３０３を撮像手段３０６で撮像することができ、透明坦持体３０１と基板３０２を正確に位置合わせすることができる。
【先行技術文献】
【特許文献】
【０００７】
【特許文献１】特開２０１２−８４６８８号公報
【特許文献２】特開２０１３−１１５３１７号公報
【発明の概要】
【発明が解決しようとする課題】
【０００８】
しかしながら、特許文献２の転写装置は、保持ステージ３０４と石英窓３０５との間に段差が形成され易く、可撓性部材である粘着テープを水平に保持できず、均一に貼り付けられない虞がある。また、粘着テープを水平に保持できたとしても、被着体の基板３０２に段差がある場合は、粘着テープとの間に隙間が生じて均一に貼り付けられない問題がある。
【０００９】
本発明は、上記の課題に鑑みてなされたものであり、板状体の周縁部に対して粘着テープを正確に位置合わせすることが可能であり、段差のある板状体に対しても粘着テープを均一に貼り付けることができるテープ貼付ステージ及びテープ貼付装置を提供することを目的とする。
【課題を解決するための手段】
【００１０】
本発明は、板状体の周縁部に粘着テープを貼り付けるためのテープ貼付ステージであって、粘着テープの粘着面を上向きにして保持する略矩形状のテープ保持台と、テープ保持台の両端部に設けられた位置決めピンと、位置決めピンの内側に設けられた吸着孔とを備え、テープ保持台は、透明部材を主体として構成され、板状体に押圧される長辺部が透明弾性体であることを特徴とする。
【００１１】
また、本発明のテープ貼付装置は、粘着テープを保持するテープ貼付ステージと、粘着テープが貼り付けられる板状体を保持する板状体ステージを備えたテープ貼付装置であって、テープ貼付ステージまたは板状体ステージの少なくとも一方を移動し、粘着テープと板状体の相対位置を調整するステージ移動機構とを備えることを特徴とする。
【００１２】
また、本発明のテープ貼付装置は、テープ貼付ステージの下方から粘着テープと板状体を撮像する撮像手段を設けたことを特徴とする。
【００１３】
また、本発明のテープ貼付装置は、ステージ移動機構は、スライド台を一軸上に移動させる一軸移動手段を一対で備え、スライド台に弾性パッキンを介してテープ貼付ステージまたは板状体ステージが結合されることを特徴とする。
【００１４】
また、本発明のテープ貼付装置は、テープ貼付ステージを上下反転させるステージ反転機構を備えることを特徴とする。
【発明の効果】
【００１５】
本発明によれば、板状体の周縁部に対して粘着テープを正確に位置合わせすることが可能であり、段差のある板状体に対しても粘着テープを均一に貼り付けることができるテープ貼付ステージ及びテープ貼付装置を提供することができる。
【図面の簡単な説明】
【００１６】
【図１】実施形態１のテープ貼付装置の概略構成を示す断面図である。
【図２】テープ貼付ステージの平面図である。
【図３】実施形態２のテープ貼付装置の概略構成を示す平面図である。
【図４】実施形態２のテープ貼付装置の概略構成を示す平面図である。
【図５】位置合せ時に撮像手段で撮像された画像である。
【図６】ステージ移動機構の概略構成を示す平面図である。
【図７】実施形態３のテープ貼付装置の概略構成を示す平面図である。
【図８】実施形態３のテープ貼付装置の概略構成を示す平面図である。
【図９】従来のテープ貼付装置の概略構成を示す断面図である。
【図１０】従来の転写装置の概略構成を示す断面図である。
【発明を実施するための形態】
【００１７】
以下、各実施の形態におけるテープ貼付ステージおよびテープ貼付装置について図を参照しながら説明する。各実施の形態の図面において、同一の参照符号は、同一部分または相当部分を表わすものとし、重複する説明は繰り返さない場合がある。各実施の形態における構成を適宜組み合わせて用いることは当初から予定されていることである。
【００１８】
（実施形態１）
図１は、本実施形態におけるテープ貼付ステージ１０を備えたテープ貼付装置１０１の概略構成を示す断面図であり、図２は、粘着テープ３０を保持したテープ貼付ステージ１０の一部を拡大した平面図である。図１、図２を参照して、本実施形態のテープ貼付ステージ１０およびテープ貼付装置１０１について説明する。
【００１９】
図１に示すように、テープ貼付装置１０１は、ベゼルレステープ等の粘着テープ３０を保持するテープ貼付ステージ１０と、液晶モジュール等の板状体４０を保持する板状体ステージ２０を備えている。粘着テープ３０の１つであるベゼルレステープは、例えば、離型処理された台紙３１が付着された粘着層３２とフィルム層３３から構成されている。また、板状体４０の１つである液晶モジュールは、例えば、液晶パネル４１、偏光板４２、バックライトユニット４３等から構成されている。
【００２０】
板状体ステージ２０は、ポリエチレンテレフタレート（PET樹脂）を主原料にガラス短繊維、無機フィラー等を充填複合したユニレート（登録商標、ユニチカ社製）を用いた上部保持板２１、下部保持板２２により構成されている。上部保持板２１には、直径０．７ｍｍの貫通孔である吸着孔２３が１０ｍｍピッチで形成されている。
【００２１】
また、下部保持板２２には、上部保持板２１の吸着孔２３に対応する吸着溝２４が形成されている。これらの上部保持板２１と下部保持板２２が貼り合わされ、吸着孔２３、吸着溝２４及び真空ポンプ（不図示）等により、板状体４０を吸着保持するための吸着機構が構成されている。
【００２２】
テープ貼付ステージ１０は、粘着テープ３０を保持する略矩形状のテープ保持台１１と、テープ保持台１１の上面に設けられた位置決めピン１２と、テープ保持台１１を支持するベース体１３を備える。テープ保持台１１は、ポリカーボネート等の透明部材を素材とした上部透明板１４及び下部透明板１５と、光透過性のシリコン部材を素材とした透明弾性体１６からなる。
【００２３】
上部透明板１４には、粘着テープ３０を位置決めするための複数の位置決めピン１２が設けられており、位置決めピン１２に囲われた内側に粘着テープ３０を吸着するための吸着孔１７が形成されている。下部透明板１５には、上部透明板１４の吸着孔１７に対応する吸着溝１８が形成されている。これらの上部透明板１４と下部透明板１５が貼り合わされ、吸着孔１７、吸着溝１８及び真空ポンプ（不図示）等により、粘着テープ３０を吸着する吸着機構が構成されている。
【００２４】
テープ保持台１１のうち、粘着テープ３０を貼り付けることにより板状体４０に押圧される長辺部位には、上部透明板１４に切り欠きが形成されており、上部透明板１４に代わって透明弾性体１６が組み込まれている。透明弾性体１６は、上部透明板１４と略同一な平面を形成し、剛性の低い粘着テープ３０をテープ保持台１１に水平に保持できるようになっている。透明弾性体１６は、優れた高透明性（透過率90％以上/400-800nm）と低硬度（Shore A：25）を備えるシート状のシリコン部材が用いられている。
【００２５】
粘着テープ３０は、図２に示すように、粘着層３２を上向きにしてテープ保持台１１に載置され、位置決めピン１２で位置決めされて、吸着孔１７から吸引されて吸着保持される。粘着層３２を保護する台紙３１には、台紙３１を台紙３１Ａと台紙３１Ｂに２分割するスリット３４が設けられており、粘着テープ３０を板状体４０に貼り付ける前に、図１に示すように、板状体４０に貼り付けられる部分の台紙３１Ａが取り外される。
【００２６】
板状体４０は、図１に示すように、最初に粘着テープ３０を貼り付ける第１主面周縁部４０Ａが下向きにされて板状体ステージ２０に載置され、第１主面周縁部４０Ａが板状体ステージ２０からテープ貼付ステージ１０側にはみ出る状態で位置決めされた後、吸着孔２３から吸引されて吸着保持される。
【００２７】
テープ貼付ステージ１０、板状体ステージ２０は、図１に示すＹ軸とＺ軸の２方向、または、ＸＹＺ軸の３方向に移動させるステージ移動機構５０に搭載されており、粘着テープ３０と板状体４０の相対位置を制御できるように構成されている。ステージ移動機構５０は、テープ貼付ステージ１０と板状体ステージ２０との面内方向の間隔（Ｙ軸）と、テープ貼付ステージ１０と板状体ステージ２０の左右方向のずれ（Ｘ軸）と、テープ貼付ステージ１０と板状体ステージ２０の高さ方向の間隔（Ｚ軸）を可変できるものであればよい。
【００２８】
ステージ移動機構５０は、例えば、図示しない一軸移動機構や、エアシリンダ、エアスライダ等の駆動部により構成することができる。なお、ステージ移動機構５０は、少なくともテープ貼付ステージ１０と板状体ステージ２０のどちらかに設けられていればよく、一方のステージ移動機構５０のみでも粘着テープ３０と板状体４０の相対位置を制御することができる。
【００２９】
粘着テープ３０を板状体４０に貼り付ける際の精度の許容範囲は、例えば、狭額縁の液晶モジュール等では、粘着テープ３０のエッジと板状体４０の偏光板４２のエッジとの間隔が０．２ｍｍ以下に設定されている。ここで、本実施形態のテープ貼付装置１０１では、テープ貼付ステージ１０のテープ保持台１１が透明部材で構成されているため、例えば、テープ保持台１１の下方からカメラ等の撮像手段６０で撮像することにより、テープ保持台１１を透過させて粘着テープ３０と板状体４０の偏光板４２の両方のエッジ位置を確認することができ、高精度の位置合せを行うことが可能となる。
【００３０】
粘着テープ３０を板状体４０に位置決めした後、テープ貼付ステージ１０または板状体ステージ２０の少なくとも一方をステージ移動機構５０のエアシリンダ等によって上昇・下降させることによって、位置決めした板状体４０の箇所に粘着テープ３０を正確に貼り付けることができる。このとき、板状体４０には約３００ｇｆ／ｃｍ２の圧力が加えられるので、液晶パネル４１から約０．２ｍｍ程度突出する偏光板４２の箇所には圧力が集中し、液晶パネル４１に斑不良と呼ばれる表示品位の劣化が生じることがある。
【００３１】
本実施形態におけるテープ貼付ステージ１０では、板状体４０によって押圧されるテープ保持台１１の長辺部位が透明弾性体１６で構成されているため、液晶パネル４１から突出する偏光板４２の段差を透明弾性体１６で吸収し、液晶パネル４１への圧力集中を防止して表示品位の劣化を防止することができる。また、偏光板４２の段差を透明弾性体１６で吸収することで、粘着テープ３０の粘着層３２と板状体４０の第１主面周縁部４０Ａの間に隙間が生じないため、粘着テープ３０を均一に貼り付けることができる。
【００３２】
粘着テープ３０を板状体４０の第１主面周縁部４０Ａに貼り付けた後は、台紙３１Ｂが取り外されて、残りの粘着テープ３０の部分が板状体４０の端部及び第２主面周縁部４０Ｂ側へ折り曲げつつこれらの部分へ貼り付けられる。なお、最初に第１主面周縁部４０Ａに粘着テープ３０を貼り付ける際に、粘着テープ３０の位置合わせが済んでいるため、ここでは新たに位置合わせを行う必要はなく、手作業やテープ折り曲げ冶具等を用いて、残りの粘着テープ３０を容易に板状体４０に貼り付けることができる。
【００３３】
以上、説明したように、本実施形態のテープ貼付ステージ１０によれば、板状体４０の周縁部に対して粘着テープ３０を正確に位置合せし、粘着テープ３０を板状体４０に均一に貼り付けることができる。
【００３４】
（実施形態２）
以下では、ステージ移動機構５０と撮像手段６０を備えたテープ貼付装置１０２について、図３~６に基づいて説明する。図３は、本実施形態におけるテープ貼付装置１０２を上方から見た平面図であり、図４は、テープ貼付装置１０２においてステージ移動機構５０で板状体ステージ２０をアライメント位置に移動した状態を示す平面図である。
【００３５】
本実施形態におけるテープ貼付装置１０２では、テープ貼付ステージ１０の位置決めピン１２に位置決めされた粘着テープ３０に対して板状体４０を略平行に配置できるように、板状体ステージ２０に板状体４０の位置決めガイド２５が設けられている。
【００３６】
なお、板状体ステージ２０は、ステージ移動機構５０にロータリーアクチュエータ（不図示）を追加して、板状体ステージ２０を３６０°回転可能な構成にしてもよい。例えば、板状体４０を９０°毎回転させることにより、板状体４０の周縁部（四辺）に、順次、粘着テープ３０を貼付けることができる。
【００３７】
図４に示すように、ステージ移動機構５０により板状体ステージ２０をテープ貼付ステージ１０側に移動させると、第１主面周縁部４０Ａを下向きにした板状体４０の下方に、粘着層３２を上向きにした粘着テープ３０が配置される。
【００３８】
このとき、テープ貼付装置１０２の上方からは、板状体４０に遮蔽されて、粘着テープ３０と偏光板４２の各エッジ位置を確認できず、粘着テープ３０と偏光板４２の相対位置を許容範囲内に合わせることができない。
【００３９】
このため、本実施形態におけるテープ貼付装置１０２では、テープ貼付ステージ１０のテープ保持台１１の下方に撮像手段６０を配置し、透明部材で構成されたテープ保持台１１を透過させて粘着テープ３０と偏光板４２を撮像することにより、粘着テープ３０と偏光板４２の各エッジ位置を確認する。
【００４０】
撮像手段６０は、例えば、マクロレンズを備えた２台のカメラ６０Ａ、カメラ６０Ｂで構成することができる。カメラ６０Ａとカメラ６０Ｂは、テープ保持台１１の透明弾性体１６の下方に配置され、それぞれテープ保持台１１を透過させて粘着テープ３０の左右端部を撮像する。
【００４１】
各カメラで撮像した画像は、図示しないモニター画面上に２５倍程度に拡大されて表示される。これにより、粘着テープ３０と偏光板４２の貼付時に許容範囲とされる間隔０．２ｍｍは、モニター画面上に５ｍｍ程度で表示され、粘着テープ３０と偏光板４２の位置合せを精度良く行うことができる。例えば、１０μｍオーダーの高精度で位置合わせすることも可能である。
【００４２】
図５は、粘着テープ３０と偏光板４２を近接させて各エッジ位置を左右のカメラ６０Ａ、カメラ６０Ｂで撮像した画像である。カメラ６０Ａによる画像では、左端の粘着テープ３０Ｌと偏光板４２Ｌの間隔Ｇ１を確認することができ、カメラ６０Ｂによる画像では、右端の粘着テープ３０Ｒと偏光板４２Ｒの間隔Ｇ２を確認することができる。
【００４３】
粘着テープ３０と偏光板４２の位置合わせは、最初に、カメラ６０Ａとカメラ６０Ｂの撮像画像を見ながら、左端の間隔Ｇ１または右端の間隔Ｇ２のどちらかが許容範囲内（０．２ｍｍ以下）となるまで、板状体ステージ２０を移動して偏光板４２と粘着テープ３０の間隔を近づけていく。
【００４４】
粘着テープ３０と偏光板４２は、位置決めピン１２と位置決めガイド２５によって互いに略平行に載置されているため、粘着テープ３０と偏光板４２の一方を近づけることにより、ある程度までは重ならずに接近させることができる。しかしながら、狭額縁の液晶モジュール等では、左右両端で粘着テープ３０と偏光板４２の間隔を０．２ｍｍ以下に位置合せする必要があり、粘着テープ３０や偏光板４２の寸法公差等の存在もあって、単に近接させるだけでは左右両端の間隔を許容範囲内に収められないため、粘着テープ３０と偏光板４２の一方の平行度を微調整する必要がある。
【００４５】
例えば、図５では、左端の粘着テープ３０Ｌと偏光板４２Ｌの間隔Ｇ１が許容範囲内にあり、右端の粘着テープ３０Ｒと偏光板４２Ｒの間隔Ｇ２が許容範囲を超えている状態を示している。このように、右端の粘着テープ３０Ｒと偏光板４２Ｒのように間隔Ｇ２が許容範囲を超えると、光漏れ等を生じさせて表示品位を低下させる虞がある。
【００４６】
図６は、粘着テープ３０を保持するテープ貼付ステージ１０の平行度を補正するためのステージ移動機構５０の構成を示した平面図である。ステージ移動機構５０は、テープ貼付ステージ１０のベース体１３下部に配置された一対の一軸移動機構５０Ａ、一軸移動機構５０Ｂにより構成されている。
【００４７】
一軸移動機構５０Ａは、送りねじ５１Ａ、マイクロメータヘッド５２Ａ、スライド台５３Ａ等によって構成されており、マイクロメータヘッド５２Ａによって送りねじ５１Ａを回転させることにより、スライド台５３Ａを送りねじ５１Ａの一軸上に移動させるようになっている。
【００４８】
また、一軸移動機構５０Ａと同様に一軸移動機構５０Ｂも、送りねじ５１Ｂ、マイクロメータヘッド５２Ｂ、スライド台５３Ｂ等によって構成されており、マイクロメータヘッド５２Ｂによって送りねじ５１Ｂを回転させることにより、スライド台５３Ｂを送りねじ５１Ｂの一軸上に移動させるようになっている。
【００４９】
送りねじ５１Ａ及び送りねじ５１Ｂは、テープ貼付ステージ１０と板状体ステージ２０の中心線から等距離の間隔で中心線と平行に配置される。また、送りねじ５１Ａ及び送りねじ５１Ｂは、カメラ６０Ａ及びカメラ６０Ｂと干渉しないように、カメラ６０Ａとカメラ６０Ｂの内側または外側に配置される。
【００５０】
テープ貼付ステージ１０のベース体１３は、左右に配置された一軸移動機構５０Ａのスライド台５３Ａ及び一軸移動機構５０Ｂのスライド台５３Ｂのそれぞれに対して、弾性変形可能なウレタンゴム等の弾性スペーサ５４Ａ、弾性スペーサ５４Ｂと、固定ネジ５５Ａ、固定ネジ５５Ｂによって結合されている。
【００５１】
上記構成により、一軸移動機構５０Ａのスライド台５３Ａと、一軸移動機構５０Ｂのスライド台５３Ｂを同期して移動させることにより、スライド台５３Ａ及びスライド台５３Ｂと一緒にベース体１３をＹ軸方向に移動させることができる。
【００５２】
また、例えば、一方の一軸移動機構５０Ａのスライド台５３Ａを停止した状態で、他方の一軸移動機構５０Ｂのスライド台５３Ｂを移動させると、弾性スペーサ５４Ａと弾性スペーサ５４Ｂが弾性変形して、ベース体１３とスライド台５３Ａの結合位置を中心に、ベース体１３をスライド台５３Ｂの移動方向に傾けることができる。
【００５３】
なお、一軸移動機構５０Ｂのスライド台５３Ｂを停止した状態で、他方の一軸移動機構５０Ａのスライド台５３Ａを移動させて、ベース体１３をスライド台５３Ａの移動方向に傾けることもできる。
【００５４】
図５のように、右端の粘着テープ３０Ｒと偏光板４２Ｒの間隔Ｇ２が許容範囲を外れている場合、左側の一軸移動機構５０Ａのスライド台５３Ａを停止した状態で、右側の一軸移動機構５０Ｂのスライド台５３Ｂを移動させることにより、ベース体１３をスライド台５３Ｂの移動方向に傾けて、粘着テープ３０Ｒと偏光板４２Ｒの間隔Ｇ２が小さくなるように修正することができる。
【００５５】
以上、説明したとおり、本実施形態におけるテープ貼付装置１０２では、テープ貼付ステージ１０の下方から粘着テープ３０と偏光板４２の各エッジ部を撮像手段６０で撮像し、偏光板４２に対する粘着テープ３０の貼付位置を容易に確認することができる。
【００５６】
また、テープ貼付装置１０２では、位置決めピン１２と位置決めガイド２５によって、粘着テープ３０と偏光板４２を互いに略平行に載置できるため、軽微な傾き修正で許容範囲内に位置合わせすることができる。また、簡易な一軸移動機構で構成したステージ移動機構５０により、高価なθ軸調整ステージを要せず、高精度の位置合せを行うことができる。
【００５７】
（実施形態３）
本実施形態におけるテープ貼付装置１０３では、テープ貼付ステージ１０を反転させるステージ反転機構７０を設けたことを特徴としている。本実施形態におけるテープ貼付装置１０３について、図７〜８に示す平面図に基づいて説明する。
【００５８】
テープ貼付ステージ１０を反転させるステージ反転機構７０は、固定プレート７１及び回動プレート７２と、回動プレート７２を固定プレート７１に回動可能に結合するヒンジ７３によって構成されている。
【００５９】
図７は、テープ貼付装置１０３の上方からステージ反転機構７０を見た平面図であり、固定プレート７１に対して回動プレート７２を水平に開いた状態を示す。
【００６０】
固定プレート７１は、図示しないステージ移動機構５０に固定されており、回動プレート７２は、固定プレート７１に対して水平に開いた状態で、固定プレート７１の手前側（板状体４０とは反対側）に配置されている。回動プレート７２上にはテープ貼付ステージ１０が配置され、粘着テープ３０の保持面を上に、且つ、透明弾性体１６が手前側になるように固定されている。
【００６１】
図８は、ステージ反転機構７０の回動プレート７２を固定プレート７１側に回動させて閉じた状態を示す。ステージ反転機構７０は、回動プレート７２を回動させて固定プレート７１側に閉じることにより、テープ貼付ステージ１０を上下反転させて、粘着テープ３０の粘着層３２の向きを下向きに変えることができる。
【００６２】
粘着テープ３０をテープ貼付ステージ１０に載置する場合は、回動プレート７２を固定プレート７１に対して水平に開いた状態にする。これにより、回動プレート７２に固定されたテープ貼付ステージ１０の保持面が上向きになり、上方から粘着テープ３０を容易に載置することができる。
【００６３】
また、粘着テープ３０を偏光板４２に位置合わせする場合は、回動プレート７２を固定プレート７１側に閉じた状態にする。これにより、回動プレート７２に固定されたテープ貼付ステージ１０が上下反転されて、粘着層３２側が下向きになった粘着テープ３０を板状体ステージ２０に載置された板状体４０の上方に配置できる。
【００６４】
このように、ステージ反転機構７０によりテープ貼付ステージ１０を上下反転させることにより、粘着テープ３０を板状体４０の上側に配置することができ、粘着テープ３０が板状体４０に覆い隠されることがなく、上方からテープ貼付ステージ１０のテープ保持台１１を透過させて、偏光板４２に対する粘着テープ３０の貼付位置を容易に確認することができる。また、上方から貼付位置を確認できるようになるため、高額の撮像手段６０を用いなくとも、安価な顕微鏡を用いて位置合わせを行うことが可能となる。
【００６５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００６６】
１０  テープ貼付ステージ
１１  テープ保持台
１２  位置決めピン
１３  ベース体
１４  上部透明板
１５  下部透明板
１６  透明弾性体
１７  吸着孔
１８  吸着溝
２０  板状体ステージ
２１  上部保持板
２２  下部保持板
２３  吸着孔
２４  吸着溝
２５  位置決めガイド
３０、３０Ｌ、３０Ｒ  粘着テープ
３１、３１Ａ、３１Ｂ  台紙
３２  粘着層
３３  フィルム層
３４  スリット
４０  板状体
４０Ａ  第１主面周縁部
４０Ｂ  第２主面周縁部
４１  液晶パネル
４２、４２Ｌ、４２Ｒ  偏光板
４３  バックライトユニット
５０  ステージ移動機構
５０Ａ、５０Ｂ  一軸移動機構
５１Ａ、５１Ｂ  送りねじ
５２Ａ、５２Ｂ  マイクロメータヘッド
５３Ａ、５３Ｂ  スライド台
５４Ａ、５４Ｂ  弾性スペーサ
５５Ａ、５５Ｂ  固定ネジ
６０  撮像手段
６０Ａ、６０Ｂ  カメラ
７０  ステージ反転機構
７１  固定プレート
７２  回動プレート
７３  ヒンジ
１０１、１０２、１０３  テープ貼付装置
【図１】
2015159200.tif 000003
【図２】
2015159200.tif 000004
【図３】
2015159200.tif 000005
【図４】
2015159200.tif 000006
【図５】
2015159200.tif 000007
【図６】
2015159200.tif 000008
【図７】
2015159200.tif 000009
【図８】
2015159200.tif 000010
【図９】
2015159200.tif 000011
【図１０】
2015159200.tif 000012